(57)【要約】【課題】痛み等の不快感が解消され、着用者へのフィット性が高く、吸収体が体液を吸収して重量を増しても、ずり落ちにくく、見栄えも良好な使い捨て捨ておむつを提供する。【解決手段】外装体１０の内側に多数配置された伸縮材が、腹側脚周り伸縮材２１、腹側脚周り伸縮材２１と交差する腹側股間伸縮材２３、背側脚周り伸縮材２２、背側脚周り伸縮材２２と交差する背側股間伸縮材２４を備え、腹側股間伸縮材２３同士、背側股間伸縮材２４同士の間隔が股下ラインＬに近づく程広くなるようにされている【選択図】図２
2015123320.tif 000002
【特許請求の範囲】
【請求項１】
着用者の臀部を覆う外装体と、該外装体に配置された複数の外装伸縮材を備え、
前記外装体の周縁は、着用者の左脚周りに沿う左脚周縁、着用者の右脚周りに沿う右脚周縁、及び着用者の胴周りに沿うウエストライン側周縁を含み、
前記外装伸縮材は、左脚周縁及び右脚周縁の一方または両方に沿って配置された複数の脚周り伸縮材と、左脚周縁と右脚周縁の間を横断するように配置され、前記複数の脚周り伸縮材と交差する３本以上の股間伸縮材とを有し、
前記外装体の着用者の左脚の内側から右脚の内側に横断するラインに当接するラインを股下ラインとしたとき、
前記３本以上の股間伸縮材の間隔が前記股下ラインに近づく程広くなるようにされていることを特徴とする使い捨ておむつ。
【請求項２】
前記外装体を、前記股下ラインを境界線として、着用者の腹側を覆う腹側部と背側を覆う背側部の２つの領域に区分したとき、
前記股間伸縮材は、前記腹側部に配置された３本以上の腹側股間伸縮材と、前記背側部に配置された３本以上の背側股間伸縮材とを含み、
前記３本以上の腹側股間伸縮材の間隔が前記股下ラインに近づく程広くなるようにされていると共に、
前記３本以上の背側股間伸縮材の間隔が前記股下ラインに近づく程広くなるようにされている、請求項１に記載の使い捨ておむつ。
【請求項３】
前記外装体を、前記股下ラインを境界線として、着用者の腹側を覆う腹側部と背側を覆う背側部の２つの領域に区分したとき、
前記脚周り伸縮材は、前記腹側部に配置された複数の腹側脚周り伸縮材と、前記背側部に配置された複数の背側脚周り伸縮材を含み、
前記腹側脚周り伸縮材は、前記腹側部の左脚周縁に沿って配置された部分と、前記腹側部の右脚周縁に沿って配置された部分と、これらを、前記股下ライン近傍で連結するように配置された部分を含み、
前記背側脚周り伸縮材は、前記背側部の左脚周縁に沿って配置された部分と、前記背側部の右脚周縁に沿って配置された部分と、これらを、前記股下ライン近傍で連結するように配置された部分を含む、請求項１または２に記載の使い捨ておむつ。
【請求項４】
前記外装伸縮材が、着用者の胴回りを周回するように配置された胴周り伸縮材をさらに有する、請求項１〜３のいずれか一項に記載の使い捨ておむつ。
【請求項５】
さらに、前記外装体の着用者側に配置された吸収体を備える請求項１〜４のいずれか一項に記載の使い捨ておむつ。
【発明の詳細な説明】
【技術分野】
【０００１】
本発明は、使い捨ておむつに関する。
【背景技術】
【０００２】
従来、着用者の臀部を覆う外装体と、この外装体の着用者側又は外装体の内部に保持されて、着用者の体液を吸収する吸収体を備える使い捨てのおむつが知られている。外装体には、着用者の体へのフィット性を高めるため、伸縮材を配置することが行われている。
例えば特許文献１では、着用者のウエスト周りにウエスト周り開口部伸縮部材が配置されると共に、前身頃に配置される複数の第１伸縮弾性部材と後身頃に配置される複数の第２伸縮弾性部材を備える外装体を備えるパンツ型の使い捨ておむつが提案されている。
【０００３】
特許文献１の第１伸縮弾性部材と第２伸縮弾性部材は、何れも左側の脚周りの開口部に沿った部分と、股下近傍を左右に横断する部分と、右側の脚周りに沿った部分とが連続している。この第１伸縮弾性部材と第２伸縮弾性部材により、吸収体が体液を吸収して重量を増しても、ずり落ちを防止できるようになっている。
しかし、着用者の動きによっては、外装体の脚周りと脚との間に隙間が生じ、体液漏れを生じる場合があった。
また、第１伸縮弾性部材と第２伸縮弾性部材の外周側は、フリル状に縮れてしまい、見栄えや着用感に問題が生じることがあった。
【０００４】
そこで、特許文献２では、特許文献１の第１伸縮弾性部材と第２伸縮弾性部材に相当する複数の脚周り弾性部材と、ウエスト周りの弾性部材に加えて、股下弾性部材を備えるパンツ型の使い捨ておむつが提案されている。この股下弾性部材は、着用者の体を、腹側と背側の各々において左右に横断するように設けられており、一端は一方の脚周り開口部に達し、他端は他方の脚周り開口部に至るように配置されている。
特許文献２では、股下弾性部材を脚周り開口部にまで設けたことにより、脚周り弾性部材の脚周り開口部側が縮められ、脚周りの周縁がフリル状となることが防止されている。また、股下弾性部材の伸縮力により、外装体の脚周りと脚との間に隙間が生じにくくなるとされている。
【先行技術文献】
【特許文献】
【０００５】
【特許文献１】特開平１１−３６１０３号公報
【特許文献２】特開２０１０−２６８９９１号公報
【発明の概要】
【発明が解決しようとする課題】
【０００６】
しかし、特許文献２の股下弾性部材は、腹側と背側の各々において、一方の脚周り開口部から他方の脚周り開口部まで、左右に横断するように配置されているため、複数の脚周り弾性部材と交差している。
そのため、配置した弾性部材の重なりによる局部的な締め付けが生じ、痛み等の不快感をもたらす場合があった。
本発明は、上記事情に鑑みてなされたものであって、痛み等の不快感が解消され、着用者へのフィット性が高く、吸収体が体液を吸収して重量を増しても、ずり落ちにくく、見栄えも良好な使い捨ておむつを提供する。
【課題を解決するための手段】
【０００７】
上記の課題を達成するために、本発明は以下の構成を採用した。
［１］着用者の臀部を覆う外装体と、該外装体に配置された複数の外装伸縮材を備え、
前記外装体の周縁は、着用者の左脚周りに沿う左脚周縁、着用者の右脚周りに沿う右脚周縁、及び着用者の胴周りに沿うウエストライン側周縁を含み、
前記外装伸縮材は、左脚周縁及び右脚周縁の一方または両方に沿って配置された複数の脚周り伸縮材と、左脚周縁と右脚周縁の間を横断するように配置され、前記複数の脚周り伸縮材と交差する３本以上の股間伸縮材とを有し、
前記外装体の着用者の左脚の内側から右脚の内側に横断するラインに当接するラインを股下ラインとしたとき、
前記３本以上の股間伸縮材の間隔が前記股下ラインに近づく程広くなるようにされていることを特徴とする使い捨ておむつ。
［２］前記外装体を、前記股下ラインを境界線として、着用者の腹側を覆う腹側部と背側を覆う背側部の２つの領域に区分したとき、
前記股間伸縮材は、前記腹側部に配置された３本以上の腹側股間伸縮材と、前記背側部に配置された３本以上の背側股間伸縮材とを含み、
前記３本以上の腹側股間伸縮材の間隔が前記股下ラインに近づく程広くなるようにされていると共に、
前記３本以上の背側股間伸縮材の間隔が前記股下ラインに近づく程広くなるようにされている、［１］に記載の使い捨ておむつ。
［３］前記外装体を、前記股下ラインを境界線として、着用者の腹側を覆う腹側部と背側を覆う背側部の２つの領域に区分したとき、
前記脚周り伸縮材は、前記腹側部に配置された複数の腹側脚周り伸縮材と、前記背側部に配置された複数の背側脚周り伸縮材を含み、
前記腹側脚周り伸縮材は、前記腹側部の左脚周縁に沿って配置された部分と、前記腹側部の右脚周縁に沿って配置された部分と、これらを、前記股下ライン近傍で連結するように配置された部分を含み、
前記背側脚周り伸縮材は、前記背側部の左脚周縁に沿って配置された部分と、前記背側部の右脚周縁に沿って配置された部分と、これらを、前記股下ライン近傍で連結するように配置された部分を含む、［１］または［２］に記載の使い捨ておむつ。
［４］前記外装伸縮材が、着用者の胴回りを周回するように配置された胴周り伸縮材をさらに有する、［１］〜［３］のいずれか一項に記載の使い捨ておむつ。
［５］さらに、前記外装体の着用者側に配置された吸収体を備える［１］〜［４］のいずれか一項に記載の使い捨ておむつ。
【発明の効果】
【０００８】
本発明の使い捨ておむつは、痛み等の不快感が解消され、着用者へのフィット性が高く、吸収体が体液を吸収して重量を増しても、ずり落ちにくく、見栄えも良好である。
【図面の簡単な説明】
【０００９】
【図１】本発明の第一実施形態に係る使い捨ておむつを示す斜視図である。
【図２】図１に示した使い捨ておむつの展開図である。
【図３】図２のIII−III断面図である。
【図４】本発明の第二実施形態に係る使い捨ておむつの展開図である。
【発明を実施するための形態】
【００１０】
［第一実施形態］
図１〜３に本発明の第一実施形態に係る使い捨ておむつを示す。本実施形態の使い捨ておむつは、外装体１０と外装体１０の内部に配置された外装伸縮材と、外装体１０の内側（着用者側）に配置された吸収性パッド３０と、立体ギャザー４０とから概略構成されている。
なお、図１〜３及び後述の図４は、説明の便宜上、各種伸縮材が伸張した状態の図、すなわち、伸縮材の張力により、外装体１０、吸収性パッド３０、立体ギャザー４０が縮められていない図としている。
本実施形態は、着用者の胴周りに沿って開口するウエスト開口部ＷＨと、左脚周りに沿って開口する左脚周り開口部ＬＨａと、右脚周りに沿って開口する右脚周り開口部ＬＨｂを有する、パンツ型おむつである。
【００１１】
図３に示すように、外装体１０は、アウターシート１１とインナーシート１２が積層されて構成されている。アウターシート１１とインナーシート１２は、共に液不透過性のシートである。また、これらは、着用時の蒸れを防ぐため、気体透過性であることが好ましい。
アウターシート１１とインナーシート１２の好ましい材質としては、ポリエチレン、ポリプロピレン、ポリエステルのような熱可塑性樹脂からなる不織布又は湿式不織布が挙げられる。
アウターシート１１とインナーシート１２は、各々単層のシートでも複数層が積層されたシートでもよい。
【００１２】
図２に示すように、外装体１０は、着用者の左脚の内側から右脚の内側に横断するラインに当接する股下ラインＬを境界線とすると、腹側を覆う腹側部Ａと背側を覆う背側部Ｂの２つの領域に区分される。
腹側部Ａは、股下ラインＬ側の腹側股部Ａ１と股下ラインＬと離間した側（以下「ウエストライン側」ともいう。）の腹側胴部Ａ２の２つの領域に、背側部Ｂは、股下ラインＬ側の背側股部Ｂ１とウエストライン側の背側胴部Ｂ２の２つの領域に、各々区分される。
【００１３】
外装体１０を着用者の左右両腰側で展開した際の周縁は、図２の図示上側から時計回りに周縁１０ａ〜周縁１０ｊに区分される。
周縁１０ａ及び周縁１０ｆは着用者の胴周りに沿うウエストライン側周縁である。周縁１０ｈ及び周縁１０iは着用者の左脚周りに沿う左脚周縁である。周縁１０ｃ及び周縁１０ｄは着用者の右脚周りに沿う右脚周縁である。周縁１０ｇ及び周縁１０ｊは着用者の左腰側となる左腰周縁である。周縁１０ｂ及び周縁１０ｅは着用者の右腰側となる右腰周縁である。
【００１４】
腹側胴部Ａ２の周縁１０ｊ（左腰周縁）と周縁１０ｂ（右腰周縁）との距離は股下ラインＬ側からウエストライン側までほぼ一定している。すなわち、腹側胴部Ａ２は、略矩形状とされている。
同様に、背側胴部Ｂ２の周縁１０ｇ（左腰周縁）と周縁１０ｅ（右腰周縁）との距離は股下ラインＬ側からウエストライン側までほぼ一定している。すなわち、背側胴部Ｂ２は、略矩形状とされている。
【００１５】
腹側股部Ａ１の周縁１０ｉ（左脚周縁）と周縁１０ｃ（右脚周縁）との距離は、腹側胴部Ａ２側が最も大きく、股下ラインＬにおいて、最も小さくなっている。
背側股部Ｂ１の周縁１０ｈ（左脚周縁）と周縁１０ｄ（右脚周縁）との距離は、背側胴部Ｂ２側が最も大きく、股下ラインＬにおいて、最も小さくなっている。
周縁１０ｉ及び周縁１０ｈ（左脚周縁）は、股下ラインＬにおいて、なだらかに接続しており、展開状態の平面視（図２）において、股下ラインＬを底とする凹部が形成されている。同様に、周縁１０ｃ及び周縁１０ｄ（右脚周縁）も、股下ラインＬにおいて、なだらかに接続しており、展開状態の平面視（図２）において、股下ラインＬを底とする凹部が形成されている。
すなわち、外装体１０は、全体として股下ラインＬが括れた砂時計状の形となっている。
【００１６】
外装体１０は、周縁１０ｇ、１０ｊ（左腰周縁）同士がインナーシート１２を内側として互いに接合された接合部１３ａと、周縁１０ｂ、１０ｅ（右腰周縁）同士がインナーシート１２を内側として互いに接合された接合部１３ｂを有している。
そして、周縁１０ａ、１０ｆ（ウエストライン側周縁）に囲まれた部分がウエスト開口部ＷＨとなっている。また、周縁１０ｈ、１０ｉ（左脚周縁）に囲まれた部分が左脚周り開口部ＬＨａとなっており、周縁１０ｃ、１０ｄ（右脚周縁）に囲まれた部分が右脚周り開口部ＬＨｂとなっている。
【００１７】
外装伸縮材は、アウターシート１１とインナーシート１２との間に配置され、アウターシート１１とインナーシート１２の一方または両方に伸張状態で固定されている。
外装伸縮材としては、天然ゴム、ポリウレタン系、発泡ポリウレタン系、ポリスチレンなどのスチレン系、ポリエチレンなどのオレフィン系、ポリエステル、スチレンブタジエン等の弾性材料等が用いられ、その形状は糸状、帯状などとすることができる。各外装伸縮材をアウターシート１１とインナーシート１２の一方または両方に固定する手段としては、ホットメルト型接着剤等の接着剤の使用、超音波溶着、熱溶着などが採用できる。
ホットメルト型接着剤としては、基本的にベースポリマー、粘着付与剤、軟化剤からなる公知のものを利用することができる。ゴム系、オレフィン系のベースポリマーを用いたものが一般的であるが、その他、コールドグルー、溶剤系等の接着剤を利用することもできる。
【００１８】
本実施形態では、外装伸縮材として、腹側脚周り伸縮材２１、背側脚周り伸縮材２２、腹側股間伸縮材２３、背側股間伸縮材２４、腹側胴周り伸縮材２５、背側胴周り伸縮材２６が配置されている。
【００１９】
腹側脚周り伸縮材２１は、腹側胴部Ａ２の周縁１０ｊ（左腰周縁）から、周縁１０ｉ（左脚周縁）に沿う部分と腹側股部Ａ１の股下ラインＬ近傍と周縁１０ｃ（右脚周縁）に沿う部分を経て、腹側胴部Ａ２の周縁１０ｂ（右腰周縁）に至るように配置されている。
腹側脚周り伸縮材２１の各端部は、周縁１０ｊ（左腰周縁）と周縁１０ｂ（右腰周縁）の範囲中、周縁１０ｉ（左脚周縁）、周縁１０ｃ（右脚周縁）に近接した部分に配置されている。
【００２０】
本実施形態では、伸縮材２１ａ、２１ｂ、２１ｃの３本の腹側脚周り伸縮材２１が、互いに重ならないように間隔を置いて配置されている。このうち、伸縮材２１ａが、最も周縁１０ｉ（左脚周縁）、股下ラインＬ、及び周縁１０ｃ（右脚周縁）に近接し、前記周縁及び股下ラインＬに沿うように配置されている。そして、伸縮材２１ｂは、伸縮材２１ａよりも内側（前記周縁及び股下ラインＬから、より離間した箇所）に配置されている。また、伸縮材２１ｃは、伸縮材２１ｂよりも内側（前記周縁及び股下ラインＬから、より離間した箇所）に配置されている。
伸縮材２１ａ、２１ｂ、２１ｃの互いの間隔は、周縁１０ｉ（左脚周縁）及び周縁１０ｃ（右脚周縁）に沿って、股下ラインＬに近づくほど幅広とされている。
【００２１】
背側脚周り伸縮材２２は、背側胴部Ｂ２の周縁１０ｇ（左腰周縁）から、周縁１０ｈ（左脚周縁）に沿う部分と背側股部Ｂ１の股下ラインＬ近傍と周縁１０ｄ（右脚周縁）に沿う部分を経て、背側胴部Ｂ２の周縁１０ｅ（右腰周縁）に至るように配置されている。
背側脚周り伸縮材２２の各端部は、周縁１０ｇ（左腰周縁）と周縁１０ｅ（右腰周縁）の範囲中、周縁１０ｈ（左脚周縁）、周縁１０ｄ（右脚周縁）に近接した部分に配置されている。
【００２２】
本実施形態では、伸縮材２２ａ、２２ｂ、２２ｃの３本の背側脚周り伸縮材２２が、互いに重ならないように間隔を置いて配置されている。このうち、伸縮材２２ａが、最も周縁１０ｈ（左脚周縁）、股下ラインＬ、及び周縁１０ｄ（右脚周縁）に近接し、前記周縁及び股下ラインＬに沿うように配置されている。そして、伸縮材２２ｂは、伸縮材２２ａよりも内側（前記周縁及び股下ラインＬから、より離間した箇所）に配置されている。また、伸縮材２２ｃは、伸縮材２２ｂよりも内側（前記周縁及び股下ラインＬから、より離間した箇所）に配置されている。
伸縮材２２ａ、２２ｂ、２２ｃの互いの間隔は、周縁１０ｉ（左脚周縁）及び周縁１０ｃ（右脚周縁）に沿って、股下ラインＬに近づくほど幅広とされている。
【００２３】
腹側脚周り伸縮材２１と背側脚周り伸縮材２２の太さは、２００〜１５００ｄｔｅｘであることが好ましく、３００〜７００ｄｔｅｘであることがより好ましい。
腹側脚周り伸縮材２１と背側脚周り伸縮材２２は、伸張率１５０〜３５０％で外装体１０に固定されていることが好ましく、伸張率１８０〜２８０％で外装体１０に固定されていることがより好ましい。
また、背側脚周り伸縮部材２２の伸張率を腹側脚周り伸縮材２１の伸張率よりも高くすることが、フィット性の面で好ましいが、背側脚周り伸縮部材２２と腹側脚周り伸縮部材２１の伸張率は同じでもよい。
なお、本明細書において「伸張率」とは、非伸張状態の長さに対する、伸張状態の長さの比率（百分率）を示すものとする。即ち、伸縮材の非伸長状態の伸張率は１００％であり、その伸縮部材を２倍に伸張した場合の伸張率は２００％となる。
【００２４】
腹側股間伸縮材２３は、周縁１０ｉ（左脚周縁）と周縁１０ｃ（右脚周縁）との間を横断するように直線状に設けられており、周縁１０ｉと周縁１０ｃの各々の近傍において、３本の腹側脚周り伸縮材２１と交差している。
本実施形態では、伸縮材２３ａ、２３ｂ、２３ｃ、２３ｄ、２３ｅ、２３ｆの６本の腹側股間伸縮材２３が、互いに重ならないように間隔を置いて配置されている。このうち、伸縮材２３ａが、最も股下ラインＬに近接して配置されている。そして、伸縮材２３ｂ、２３ｃ、２３ｄ、２３ｅ、２３ｆは、順次股下ラインＬから離間するように配置されている。腹側股間伸縮材２３同士の間隔は、股下ラインＬに近づくほど広くされている。
【００２５】
背側股間伸縮材２４は、周縁１０ｈ（左脚周縁）と周縁１０ｄ（右脚周縁）との間を横断するように直線状に設けられており、周縁１０ｈと周縁１０ｄの各々の近傍において、３本の背側脚周り伸縮材２２と交差している。
本実施形態では、伸縮材２４ａ、２４ｂ、２４ｃ、２４ｄ、２４ｅ、２４ｆ、２４ｇの７本の背側股間伸縮材２４が、互いに重ならないように間隔を置いて配置されている。このうち、伸縮材２４ａが、最も股下ラインＬに近接して配置されている。そして、伸縮材２４ｂ、２４ｃ、２４ｄ、２４ｅ、２４ｆは、順次股下ラインＬから離間するように配置されている。背側股間伸縮材２４同士の間隔は、股下ラインＬに近づくほど広くされている。
【００２６】
図３に示すように、伸縮材２３ａは、周縁１０ｉ（左脚周縁）側から周縁１０ｃ（右脚周縁）側にかけて、４つの切断部Ｃ１、Ｃ２、Ｃ３、Ｃ４が設けられている。切断部Ｃ１は、伸縮材２１ａと交差する箇所と、伸縮材２１ｂと交差する箇所との間に設けられている。切断部Ｃ２は、伸縮材２１ｂと交差する箇所と、伸縮材２１ｃと交差する箇所との間に設けられている。切断部Ｃ３は、伸縮材２１ｃと交差する箇所と、伸縮材２１ｂと交差する箇所との間に設けられている。切断部Ｃ４は、伸縮材２１ｂと交差する箇所と、伸縮材２１ａと交差する箇所との間に設けられている。
同様に、他の腹側股間伸縮材２３も、交差する複数の腹側脚周り伸縮材２１に挟まれる４箇所に、各々切断部が設けられている。また、背側股間伸縮材２４も、交差する複数の背側脚周り伸縮材２２に挟まれる４箇所に、各々切断部が設けられている。
【００２７】
なお、腹側股間伸縮材２３と背側股間伸縮材２４は、アウターシート１１に外装伸縮材を配置した段階で切断してもよいし、重ねられたアウターシート１１とインナーシート１２の間に外装伸縮材を配置した状態で切断してもよい。後者の場合、腹側股間伸縮材２３と背側股間伸縮材２４だけでなく、インナーシート１２も切断される。その場合、インナーシート１２が切断されても、その上に張り合わされる吸収性パッド３０により、体液の漏れが防止される。
【００２８】
腹側股間伸縮材２３と背側股間伸縮材２４の太さは、３００〜１３００ｄｔｅｘであることが好ましく、４００〜７００ｄｔｅｘであることがより好ましい。
腹側股間伸縮材２３と背側股間伸縮材２４は、伸張率１５０〜２５０％で外装体１０に固定されていることが好ましく、伸張率２００〜３００％で外装体１０に固定されていることがより好ましい。
【００２９】
本実施形態では、外装伸縮材として、さらに、多数の腹側胴周り伸縮材２５と背側胴周り伸縮材２６を備えている。
図２に示すように、腹側胴周り伸縮材２５は、腹側胴部Ａ２の周縁１０ｊ（左腰周縁）と周縁１０ｂ（右腰周縁）との間を横断するように直線状に配置されている。
腹側胴周り伸縮材２５はウエストライン側に配置された複数の伸縮材２５ａと股下ラインＬ側に配置された複数の伸縮材２５ｂを含んでいる。
伸縮材２５ａの方が伸縮材２５ｂよりも狭い間隔で配置されている。伸縮材２５ａは、伸縮材２５ｂよりも強い伸縮力を有することが好ましい。
【００３０】
背側胴周り伸縮材２６は、背側胴部Ｂ２の周縁１０ｇ（左腰周縁）と周縁１０ｅ（右腰周縁）との間を横断するように直線状に配置されている。
背側胴周り伸縮材２６はウエストライン側に配置された複数の伸縮材２６ａと股下ラインＬ側に配置された複数の伸縮材２６ｂを含んでいる。
伸縮材２６ａの方が伸縮材２６ｂよりも狭い間隔で配置されている。伸縮材２６ａは、伸縮材２６ｂよりも強い伸縮力を有することが好ましい。
【００３１】
腹側胴周り伸縮材２５と背側胴周り伸縮材２６は、伸縮材２５ａと伸縮材２６ａが、伸縮材２５ａと伸縮材２６ｂよりも太いことが好ましい。
伸縮材２５ａと伸縮材２６ａについては、３００〜１３００ｄｔｅｘであることが好ましく、４００〜１０００ｄｔｅｘであることがより好ましい。伸縮材２５ａと伸縮材２６ａとして天然ゴムを使用した場合、天然ゴムの引っ張り強度は５〜３０Ｍｐａであることが好ましく、１０〜２０Ｍｐａであることがより好ましい。伸縮材２５ｂと２６ｂについては、３００〜１３００ｄｔｅｘであることが好ましく、４００〜７００ｄｔｅｘであることがより好ましい。
腹側胴周り伸縮材２５と背側胴周り伸縮材２６は、伸張率１７０〜３５０％で外装体１０に固定されていることが好ましく、伸張率２００〜３００％で外装体１０に固定されていることがより好ましい。
【００３２】
吸収性パッド３０は平面視略矩形状である。その長手方向が、股下ラインＬを中心に、腹側部Ａと背側部Ｂの両ウエストライン側に向かうように、腹側胴部Ａ２の腹側股部Ａ１側から腹側股部Ａ１および背側股部Ｂ１を経て背側胴部Ｂ２の背側股部Ｂ１側までの領域に配置されている。
吸収性パッド３０は、外装体１０のインナーシート１２に接着固定され、外装体１０の内側（着用者側）に配置されている。
【００３３】
図３に示すように、吸収性パッド３０は、何れも平面視略矩形状とされた、トップシート３１及びバックシート３２と、これら２枚のシート間に内包された吸収体３３、上ティッシュ３４、及び下ティッシュ３５を有している。
吸収体３３は、予め上ティッシュ３４及び下ティッシュ３５に覆われた状態で、トップシート３１及びバックシート３２の間に内包されている。すなわち、下ティッシュ３５は吸収体３３より幅広とされており、吸収体３３のバックシート３２側を覆うと共に、吸収体３３のトップシート３１側の両側縁部も覆うように幅方向両側が折り返されている。また、上ティッシュ３４は、吸収体３３よりやや幅狭とされており、下ティッシュ３５の両側の折り返し部と重なるように、吸収体３３のトップシート３１側に載せられている。上ティッシュ３４と下ティッシュ３５の重なり部分は、接着剤により接着されている。
【００３４】
トップシート３１は、着用者の体液が吸収体３３に到達できるよう、液透過性とされている。また、トップシート３１は、着用者の肌に直接当接するため、良好な肌触り感を備えることが好ましい。
トップシート３１を形成する材料としては、不織布を採用することが好ましい。不織布の種類としては、スパンボンド、スパンレース、ニードルパンチ、サーマルボンド等の各種製法によって製造された公知の不織布を用いることができる。特に、適度な伸長性を有するため、乾式法で形成した繊維ウエブを、サーマルボンド法によって結合させた不織布が好ましい。サーマルボンド法によって結合させた不織布は、形成した繊維ウエブを、熱で溶融させて繊維を結合させた不織布である。
【００３５】
バックシート３２は、吸収体３３により保持されている体液が漏れ出さないよう、液不透過性とされている。バックシート３２の材質としては、透湿性のあるオレフィン系のフィルムが好ましいが、外装体１０のアウターシート１１及びインナーシート１２と同様のものも使用できる。
トップシート３１とバックシート３２は、その周縁部が、ホットメルトによる接着や熱溶着等により封着されている。
【００３６】
吸収体３３には、公知の材料を採用することができる。例えば、フラッフパルプ、高吸収性ポリマー、又は親水性シートを、単独で、又は組み合わせて用いることができる。
吸収体３３は、単層又は複数層のマット状に形成されていることが好ましい。
本実施形態では、上ティッシュ３４と下ティッシュ３５で吸収体３３を被包している。そのため、高吸収性ポリマーのように、定型性を保ちにくい材料で吸収体３３を構成することも可能である。
【００３７】
立体ギャザー４０は、着用者の左脚周り開口部ＬＨａ近傍に配置される左立体ギャザー４０ａと着用者の右脚周り開口部ＬＨｂ近傍に配置される右立体ギャザー４０ｂとの２つから構成される。
一対の立体ギャザー４０（４０ａ、４０ｂ）は、各々撥水シート４１、側縁伸縮材４２、及び立体ギャザー伸縮材４３を有している。
【００３８】
撥水シート４１は、長手方向の長さが吸収性パッド３０と同等とされた略矩形状とされている。撥水シート４１は、幅方向の一方が、トップシート３１及びバックシート３２の封着された側周縁を挟むように折り返され、トップシート３１及びバックシート３２に接着されている。この折り返し部には、トップシート３１及びバックシート３２の封着された側周縁に沿って延在するように、側縁伸縮材４２が伸張状態で配置されている。
また、幅方向の他方は、内側に立体ギャザー伸縮材４３を挟むように折り返されている。本実施形態では、３本の立体ギャザー伸縮材４３が、撥水シート４１の長手方向に沿って延在するように、撥水シート４１の折り返し部に伸張状態で配置されている。
立体ギャザー４０は、側縁伸縮材４２と立体ギャザー伸縮材４３の収縮力により起立状態とされており、トップシート３１の側方から液体が漏洩することを防止する防漏壁となっている。
【００３９】
本実施形態の使い捨ておむつは、着用者の体液を吸収性パッド３０に内包された吸収体３３に吸収し、保持することができる。吸収した体液により吸収体３３の重量が増すが、腹側脚周り伸縮材２１及び背側脚周り伸縮材２２の伸縮力により、ずり落ちを防止できる。
特に、本実施形態の腹側脚周り伸縮材２１及び背側脚周り伸縮材２２は、左脚周縁に沿う部分と右脚周縁に沿う部分が股下ラインＬ近傍で連結しているので、吸収体３３の重量を、両脚側から支えることができ、ずり落ち防止効果が大きい。
したがって、着用者のさまざまな動きによりよれが生じやすく、また、着用者の排泄物の量が多く、吸収体３３の重量が増しやすい大人用の使い捨ておむつに適用しても、充分にずり落ちが防止される。
【００４０】
また、腹側股間伸縮材２３及び背側股間伸縮材２４の伸縮力により、着用者の体へのフィット性が高まり、脚周り開口部（左脚周り開口部ＬＨａ及び右脚周り開口部ＬＨｂ）と着用者の脚との間に隙間が生じにくくなっている。また、腹側股間伸縮材２３及び背側股間伸縮材２４は各々、腹側脚周り伸縮材２１と背側脚周り伸縮材２２の外側（左脚周縁側及び右脚周縁側）まで延びている。そのため、脚周りの周縁がフリル状となることが防止され、見栄えが良好である。
【００４１】
本発明者は、長時間使い捨ておむつを使用した際に着用者のさまざまな動きによって吸収体がよれることや、吸収体３３の重量が増した際に伸縮材が重なることによって、股下ラインＬの近くほど局部的な締め付けが生じやすいことを見出した。
本実施形態の使い捨ておむつは、伸縮材２１ａ、２１ｂ、２１ｃの互いの間隔、並びに伸縮材２２ａ、２２ｂ、２２ｃの互いの間隔が、周縁１０ｉ（左脚周縁）及び周縁１０ｃ（右脚周縁）に沿って、股下ラインＬに近づくほど幅広とされている。そのため、局部的な締め付けが生じにくく、痛み等の不快感が解消される。
さらに、腹側股間伸縮材２３は、交差する複数の腹側脚周り伸縮材２１に挟まれる箇所に、各々切断部が設けられている。また、背側股間伸縮材２４も、交差する複数の背側脚周り伸縮材２２に挟まれる箇所に、各々切断部が設けられている。そのため、腹側脚周り伸縮材２１と腹側股間伸縮材２３の重なり、又は背側脚周り伸縮材２２と背側股間伸縮材２４との重なりによる局部的な締め付けが一層生じにくく、痛み等の不快感が解消される。
【００４２】
［第二実施形態］
図４に本発明の第二実施形態に係る使い捨ておむつを示す。図４において、第一実施形態に係る使い捨ておむつと同一の構成部材には、同一の符号を付して、詳細な説明を省略する。
本実施形態は、腹側股間伸縮材２３を腹側股間伸縮材２７に、背側股間伸縮材２４を背側股間伸縮材２８に変更したほかは、第一実施形態と同様である。
【００４３】
腹側股間伸縮材２７は、周縁１０ｉ（左脚周縁）と周縁１０ｃ（右脚周縁）との間を横断するように直線状に設けられており、周縁１０ｉと周縁１０ｃの各々の近傍において、３本の腹側脚周り伸縮材２１と交差している。
本実施形態では、伸縮材２７ａ、２７ｂ、２７ｃ、２７ｄ、２７ｅ、２７ｆの６本の腹側股間伸縮材２７が、互いに重ならないように間隔を置いて配置されている。このうち、伸縮材２７ａが、最も股下ラインＬに近接して配置されている。そして、伸縮材２７ｂ、２７ｃ、２７ｄ、２７ｅ、２７ｆは、順次股下ラインＬから離間するように配置されている。腹側股間伸縮材２７同士の間隔は、股下ラインＬに近づくほど広くされている。
本実施形態の腹側股間伸縮材２７は、切断部が設けられていない点が、第一実施形態の腹側股間伸縮材２３と相違している。
【００４４】
背側股間伸縮材２８は、周縁１０ｈ（左脚周縁）と周縁１０ｄ（右脚周縁）との間を横断するように直線状に設けられており、周縁１０ｈと周縁１０ｄの各々の近傍において、３本の背側脚周り伸縮材２２と交差している。
本実施形態では、伸縮材２８ａ、２８ｂ、２８ｃ、２８ｄ、２８ｅ、２８ｆ、２８ｇ、２８ｈ、２８ｉの９本の背側股間伸縮材２８が、互いに重ならないように間隔を置いて配置されている。このうち、伸縮材２８ａが、最も股下ラインＬに近接して配置されている。そして、伸縮材２８ｂ、２８ｃ、２８ｄ、２８ｅ、２８ｆ、２８ｈ、２８ｉは、順次股下ラインＬから離間するように配置されている。背側股間伸縮材２８同士の間隔は、股下ラインＬに近づくほど広くされている。
本実施形態の背側股間伸縮材２８は、切断部が設けられていない点が、第一実施形態の背側股間伸縮材２４と相違している。
腹側股間伸縮材２７と背側股間伸縮材２８は、腹側股間伸縮材２３及び背側股間伸縮材２４と同様のものが使用できる。
【００４５】
［その他の態様］
上記各実施形態では、脚周り伸縮材が、左脚周縁に沿う部分と右脚周縁に沿う部分が股下ラインＬ近傍で連結した構成としたが、脚周り伸縮材は、左脚周縁に沿う部分と右脚周縁に沿う部分とが連結されておらず、互いに独立していてもよい。
また、上記各実施形態では、腹側股間伸縮材と背側股間伸縮材の何れも直線状に配置する態様には限定されず、例えば、中央部が股下ラインＬ側に、やや膨らむように、湾曲していてもよい。
【００４６】
また、第一実施形態では、腹側股間伸縮材は、交差する複数の腹側脚周り伸縮材に挟まれる部分に、各々１つの切断部を有しているが、第二実施形態のように、切断部は設けなくてもよい。また、切断部を設ける場合、腹側脚周り伸縮材に挟まれる部分に、各々２以上の切断部を有していてもよい。また、交差する複数の腹側脚周り伸縮材に挟まれる部分の一部は、切断部を有していなくてもよい。
同様に、上記各実施形態では、背側股間伸縮材は、交差する複数の背側脚周り伸縮材に挟まれる部分に、各々１つの切断部を有しているが、第二実施形態のように、切断部は設けなくてもよい。また、切断部を設ける場合、背側脚周り伸縮材に挟まれる部分に、各々２以上の切断部を有していてもよい。また、交差する複数の背側脚周り伸縮材に挟まれる部分の一部は、切断部を有していなくてもよい。
【００４７】
また、腹側股間伸縮材は、最も内側に配置された腹側脚周り伸縮材２１（腹側脚周り伸縮材２１ｃ）と交差する２点の間にも切断部を有していてもよい。この場合の切断部の長さに特に制限はない。
同様に、背側股間伸縮材は、最も内側に配置された背側脚周り伸縮材２２（背側脚周り伸縮材２２ｃ）と交差する２点の間にも切断部を有していてもよい。この場合の切断部の長さにも特に制限はない。
【００４８】
腹側脚周り伸縮材と背側脚周り伸縮材は、各々複数本存在すればよく、特に本数に制限はないが、２〜１０本であることが好ましく、３〜５本であることがより好ましい。
腹側脚周り伸縮材と背側脚周り伸縮材の本数が少なすぎる場合、脚周り開口部からの漏れを防ぐために、１本あたりの伸縮力を大きくする必要があり、線での強い圧迫による不快感痛み等の不快感を生じさせるおそれがある。腹側脚周り伸縮材と背側脚周り伸縮材の本数が多すぎる場合、特に股下ラインＬ近傍で伸縮材同士が近接しやすくなり、着用感が悪くなる恐れがある。
【００４９】
腹側股間伸縮材と背側股間伸縮材は、合計して３本以上あればよい。例えば、腹側股間伸縮材２本と背側股間伸縮材１本を備える構成とすることができる。その場合、股下ラインＬを挟んで設けられる腹側股間伸縮材と背側股間伸縮材同士の間隔は、腹側股間伸縮材同士の間隔よりも広いことが必要である。
腹側股間伸縮材と背側股間伸縮材の各々を複数本とする場合の本数に制限はないが、各々２〜１０本であることが好ましく、３〜５本であることがより好ましい。
腹側股間伸縮材と背側股間伸縮材の本数が少なすぎる場合、吸収体３３の重量が増した際に、着用者の体への密着性が不充分となりやすい。また、脚周り開口部にフリルが形成されるのを充分に防止しにくくなる。
腹側股間伸縮材と背側股間伸縮材の本数が多すぎる場合、伸縮材同士が近接しやすくなり、着用感が悪くなる恐れがある。
【００５０】
また、上記各実施形態では、吸収体３３、及びこれを内包する吸収性パッド３０を略矩形状としたが、吸収体３３等の形体に特に限定はなく、例えば、股下ラインＬにおける幅が狭くなった砂時計型若しくはひょうたん型、または楕円形型であってもよい。
また、上記各実施形態では、吸収体３３を予め上ティッシュ３４及び下ティッシュ３５に覆われた状態で、トップシート３１及びバックシート３２の間に内包された態様としたが、外装体１０の着用者側に吸収体３３を配置する態様に特に限定はない。例えば、上ティッシュ３４及び下ティッシュ３５を省略した態様としてもよい。
【００５１】
また、吸収体３３は、外装体１０の着用者側に配置される態様に限定されず、アウターシート１１とインナーシート１２の間、すなわち、外装体１０の内部に配置されていてもよい。その場合、インナーシート１２は、液透過性のものを使用する。
さらに、外装体１０のインナーシート１２として、液吸収性を備える材質を用いれば、別途吸収体３３を配置することを省略することも可能である。
また、立体ギャザー４０を設けない態様とすることもできる。
また、外装体１０は、アウターシート１１とインナーシート１２とからなるものに限定されず、１層のシートから構成されていてもよい。
【００５２】
また、上記各実施形態は、外装体１０の腹側胴部Ａ２と背側胴部Ｂ２が、予め、着用者の左腰側となる左腰周縁同士、及び着用者の右腰側となる右腰周縁同士が互いに接合されたパンツ型おむつとしたが、本発明は、パンツ型おむつに限定されない。
本発明の使い捨ておむつは、着用の際に、外装体１０の腹側胴部Ａ２と背側胴部Ｂ２が、左右において接合されるものであってもよい。
着用の際に接合する方法としては、例えば、予め背側胴部Ｂ２の左右に固定された粘着テープを、腹側胴部Ａ２の左右に貼着する方法が挙げられる。
【符号の説明】
【００５３】
１０…外装体、１１…アウターシート、１２…インナーシート、
１３ａ，１３ｂ…接合部、２１…腹側脚周り伸縮材、２２…背側脚周り伸縮材、
２３…腹側股間伸縮材、２４…背側股間伸縮材、２５…腹側胴周り伸縮材、
２６…背側胴周り伸縮材、２７…腹側股間伸縮材、２８…背側股間伸縮材、
３０…吸収性パッド、３３…吸収体、４０…立体ギャザー、
Ｌ…股下ライン、Ａ…腹側部、Ａ１…腹側股部、Ａ２…腹側胴部、
Ｂ…背側部、Ｂ１…背側股部、Ｂ２…背側胴部、
ＷＨ…ウエスト開口部、ＬＨａ…左脚周り開口部、ＬＨｂ…右脚周り開口部、
Ｃ１，Ｃ２，Ｃ３，Ｃ４…切断部
【図１】
2015123320.tif 000003
【図２】
2015123320.tif 000004
【図３】
2015123320.tif 000005
【図４】
2015123320.tif 000006